(57)【特許請求の範囲】
【請求項１】
デバイスを着脱可能に取付けることが出来るメガネフレームにおいて、ツルの中間部下側に継手を設けて該ツルを前ツル部と後ツル部とで構成し、前ツル部又は後ツル部の木口から延びるガイド溝を表面側に形成し、デバイス側に設けている嵌入ガイドを木口から上記ガイド溝に挿入して嵌めることが出来る構造とし、ツルを真直ぐに延ばすことで該木口が互いに当接して上記嵌入ガイドが外れないようにしたことを特徴とするデバイスを取付けることが出来るメガネフレーム。
【請求項２】
デバイスを着脱可能に取付けることが出来るメガネフレームにおいて、ツルの先端上側に継手を設けてツル先が上方へ屈曲出来るように連結し、ツルの木口から延びるガイド溝を表面側に形成し、デバイス側に設けている嵌入ガイドをツル木口から上記ガイド溝に挿入して嵌めることが出来る構造とし、ツル先を真直ぐに延ばすことで該木口が互いに当接して上記嵌入ガイドが外れないようにしたことを特徴とするデバイスを取付けることが出来るメガネフレーム。
【請求項３】
上記ツル側に嵌入ガイドを設け、デバイス側に設けたガイド溝に嵌入ガイドが嵌るようにした請求項１、又は請求項２記載のデバイスを取付けることが出来るメガネフレーム。
【発明の詳細な説明】
【技術分野】
【０００１】
本発明はデバイスを簡単に取付け、また不要な時には取外すことが出来るように構成したメガネフレームに関するものである。
【背景技術】
【０００２】
デバイスとはコンピューターに接続して使うあらゆるハードウェアを意味し、近年、このデバイスをメガネフレームに取付けて色々な情報（データ）を視覚を介して得ることが出来るように成っている。
すなわち、メガネ型デバイスであり、目の近くに小型のディスプレイを配置しており、普段は一般の矯正用メガネとして使用され、必要な場合には上記ディスプレイに視線を合わせて使うことが出来る。
【０００３】
メガネのフロント部片側にデバイスを配置した単眼型と、フロント部両側にデバイスを配置した両眼型があるが、その機能は色々である。視界にとらえたデータをディスプレイに表示し、現実社会の情報を保管することが出来る。
例えば、目的地に向かうための進むべき道を表示することが出来る。また、外国語を目にした時にはその翻訳語を表示することが出来る。人の顔を認識してプロフィールをディスプレイに表示することも出来る。
【０００４】
図９はデバイスを取付けたメガネを示す従来例であり、同図に示すようにメガネフレームのフロント部から側部にかけて、概略へ形（弓形）をしたデバイスを取付けている。同図の（ａ）は片側にデバイス（イ）を取付けている場合、（ｂ）は両側にデバイス（イ）、（イ）を取付けている場合を示している。
該デバイス（イ）にはフロント部側先端付近にディスプレイを備え、コーナー部にはカメラを有すことが出来る。
ところで、デバイスの具体的な機能は各メーカーにて色々あるが、該デバイスはメガネフレームにネジ止め等の取付け手段にて取着されて一体化した構造と成っている。
【０００５】
従来においても、デバイスを取付けたメガネに関しては、色々な発明が知られている。例えば、特開２０１５−９６９２９号に係る「眼鏡フレーム、ウェアラブルコンピュータ付眼鏡」は、装着時に使用者の顔面上に露出するデバイスを最小限とし、かつ、眼前に保持したディスプレイ装置の振動を防止するとともに、必要に応じて眼鏡やサングラスのレンズを容易に着脱可能なウェアラブルコンピュータ用の眼鏡フレーム、およびヘッドマウント型のウェアラブルコンピュータ付眼鏡である。
【０００６】
すなわち、使用者の片方の耳殻から後頭部に沿って他方の耳殻に至り、さらに眉間部前方まで終端を延伸させて成るフレーム体と、前記フレーム体の延伸部の終端に取り付けたノーズパッド部とから成る眼鏡フレームの、前記終端又はノーズパッド部に眼鏡レンズ組立体を有し、前記フレーム体の延伸部にウェアラブルコンピュータを構成するデバイスを取り付けている。
【０００７】
特開２０１４−８１４８１号に係る「観察光学系、及びそれを用いた観察装置」は、広画角でかつ高い解像力を有する観察光学系、及び観察光学系を用いた観察装置である。すなわち、観察光学系は、観察者の前方に配置され、光を拡散する拡散面と、第１面、第２面、及び第３面を有する少なくとも３面の光学面で構成され、前記光学面のうち、少なくとも２面は、回転非対称な形状を有し、物体面の映像の実像を前記拡散面に投影する第１光学系と、前記拡散面に投影された実像を観察者眼球に拡大された虚像として投影する第２光学系とを備え、前記物体面の中心と前記拡散面の中心を結ぶ光線を軸上主光線としたとき、前記少なくとも３面の光学面は、それぞれ前記軸上主光線に対して偏心して配置される。
【０００８】
【特許文献１】特開２０１５−９６９２９号に係る「眼鏡フレーム、ウェアラブルコンピュータ付眼鏡」
【特許文献２】特開２０１４−８１４８１号に係る「観察光学系、及びそれを用いた観察装置」
【発明の開示】
【発明が解決しようとする課題】
【０００９】
ところで、従来からデバイスを取付けたメガネフレームは数多く知られている。しかし、メガネフレームはそれ専用の形態を有してデバイスは一般的にネジ止め等にて固定されて、手軽に取外すことが出来ない。本発明が解決しようとする課題はこの問題点であり、デバイスをメガネフレームから簡単に着脱すことが出来るように構成しメガネフレームを提供する。
【課題を解決するための手段】
【００１０】
本発明に係るメガネフレームは、デバイスを着脱することが出来るように構成したものであり、メガネフレームとしての基本的な形態は従来と同じで、フロント部の両側端にはツル（テンプル）を備えている。そして、ツルやフロント部にガイド溝を形成してデバイスを取付けることが出来るように構成している。ガイド溝を設ける位置及びガイド溝の具体的な断面形状は限定しないが、ツルの木口から所定の長さにわたって連続して形成している。一方、ツルは継手を介して複数のツル部に分割され、それぞれのツル部にデバイスを取付けるように構成することも可能である。
【００１１】
一方、デバイスには嵌入ガイドが設けられ、この嵌入ガイドは上記ツル又はフロント部のヨロイに形成したガイド溝に嵌ることが出来る。デバイスを取付けるに当って、ツルを折畳んだ状態で上記木口を開口し、この開口した木口側からガイド溝に嵌入ガイドを挿入する。そして、メガネを掛ける際にはツルは真直ぐに延びて該木口はフロント部のヨロイと当接し、その為に木口は閉じられてガイド溝に嵌った嵌入ガイドが外れることはない。
【００１２】
逆に、デバイスを取外す場合はツルを折畳んで木口を開口し、ガイド溝から嵌入ガイドを抜取ることが出来る。勿論、ツル側に嵌入ガイドを設け、デバイス側にガイド溝を設けることもある。
ところで、本発明は上記デバイスの機能に関しては限定せず、例えば一般的な機能を備えたデバイス、センサー、カメラ、バッテリー、マイク、ライトなどを備えることが出来る。
そして、メガネフレームの材質は樹脂製であっても金属製であっても構わず、レンズが嵌るフロント部の形態も自由である。フロント部のリムに嵌るレンズは必ずしも矯正用レンズに限るものではなく、サングラスを嵌める場合もあり、又は矯正用レンズやサングラスを嵌めないでフレームだけで構成することも可能である。
【発明の効果】
【００１３】
本発明のメガネフレームはツルにガイド溝を形成し、このガイド溝にデバイスを簡単に取付けることが出来る。デバイスには嵌入ガイドが設けられ、この嵌入ガイドがツルに形成したガイド溝に嵌って取付けられる。ガイド溝はツルの木口から一定長さにわたって連続して設けられ、ツルを折畳むことで木口が開口する為に、この状態で嵌入ガイドを嵌めることが出来る。
一方、ツルを分割して複数のツル部で構成し、継手にて各ツル部を連結した構造とする場合、１本のツルに複数のデバイスを取付け出来る。
【００１４】
ガイド溝に嵌った嵌入ガイドはメガネを顔に掛ける際にツルを開くならば、ツルの木口はフロント部のヨロイに当接して閉じられる。したがって、ガイド溝に嵌った嵌入ガイドがガイド溝から外れることはない。
このように、本発明のメガネフレームにはデバイスをネジなどの止着具を用いることなく簡単に取付けることが出来、また不要な際には取外すことが可能である。そこで、デバイスを外したメガネフレームは一般の矯正メガネ又はサングラス用メガネとして日常的に使うことが出来る。
【図面の簡単な説明】
【００１５】
【図１】デバイスを取付けた本発明のメガネフレームで、（ａ）は平面図、（ｂ）は正面図。
【図２】デバイスをツルから外した状態の実施例。
【図３】折畳まれたツルの木口からデバイスの嵌入ガイドを嵌める場合。
【図４】ツルに設けたガイド溝及びデバイスの嵌入ガイドの断面を示す具体例。
【図５】フロント部のヨロイにデバイスを取付けた実施例で、平面図を表している。
【図６】フロント部のヨロイにデバイスを取付けた実施例で、側面図を表している。
【図７】ツルの中間部と先端にデバイスを取付けた場合の平面図を示す具体例。
【図８】ツルの中間部と先端にデバイスを取付けた場合の側面図を示す具体例。
【図９】デバイスを備えた従来の一般的なメガネフレーム。
【発明を実施するための形態】
【００１６】
図１はデバイスを取付けたメガネフレームを示す実施例であり、（ａ）は平面図、（ｂ）は正面図である。同図の１はメガネフレームのフロント部、２，２はツル、３はデバイスをそれぞれ表している。メガネフレームとしての基本形態は従来のものと同じであり、フロント部１の両側端にはツル２，２が継手４，４を介して折畳み出来るように取付けられている。
【００１７】
フロント部１は両リム部５，５が中央の連結部６を介して繋がれ、そしてリム部５，５及び連結部６の上縁には湾曲したワタリ７を取付けている。上記継手４，４はワタリ７の両先端に設けられてツル２，２が連結している。また、ワタリ７の両先端にはヨロイ８，８を取着している。
ところで、該フロント部１の形態に関しては図１の実施例に示す場合に限定するものではなく、上記ワタリ７を用いないでフロント部１を構成する場合もある。
【００１８】
上記デバイス３は弓形（へ形）に湾曲し、フロント部１からツル２に沿って延びた形状としていて、デバイス３はツル２に取付けられている。このメガネフレームはデバイス３をネジ止めすることなく、必要に応じて簡単に取外すことが出来る構造としている。すなわち、ツル２にはガイド溝が形成され、このガイド溝にデバイス３に設けた嵌入ガイドが嵌って取付けられる。
【００１９】
図２はデバイス３を取外している状態であり、ツル２の継手側にはガイド溝９が設けられ、デバイス３には嵌入ガイド１０を形成している。嵌入ガイド１０はガイド溝９に嵌って取付けられるが、ツル９が同図のように開いた状態では嵌入ガイド１０をガイド溝９に嵌めることは出来ない。すなわち、ツル２が開かれるとその木口がヨロイ８に当たってストッパーとなる。
【００２０】
図３はデバイス３をツル２に取付ける手順を示しているが、ツル２を同図に示すように折り畳むならば、木口１１はヨロイ８から離れて開口する。ツル２に形成したガイド溝９は上記木口１１から一定長さにわたって連続して形成され、上記嵌入ガイド１０は開口した木口１１からガイド溝９に嵌ってデバイス３はツル２に取付けられる。
【００２１】
ガイド溝９に嵌った嵌入ガイド１０は、ツル２が前記図１に示すように開くならば、木口１１はヨロイ８に当たって閉じられ、ガイド溝９から嵌入ガイド１０が外れることはない。デバイス３を取外す場合には、図３のようにツル２を折畳んで木口１１を開口した状態で、嵌入ガイド１０をガイド溝９から抜き取ることが出来る。
【００２２】
図４はツル２のガイド溝９とデバイス３に設けた嵌入ガイド１０の断面を示す具体例である。
（ａ）はツル２の外側にガイド溝９を設けて概略Ｃ形を成し、デバイス３の内側に嵌入ガイド１０を形成している。ツル２が折畳まれることで開口した木口１１からガイド溝９に嵌入ガイド１０を嵌めることが出来る。
【００２３】
（ｂ）はツル断面をＨ形とし、上側にガイド溝９ａを設けると共に下側にはガイド溝９ｂを設けている。そして、デバイス３の内側をＣ形断面として、上側に嵌入ガイド１０ａを、下側に嵌入ガイド１０ｂを設けている。嵌入ガイド１０ａはガイド溝９ａに嵌り、嵌入ガイド１０ｂはガイド溝９ｂに嵌ることが出来る。すなわち、ツル２を抱き込むように嵌入ガイド１０ａ，１０ｂがガイド溝９ａ，９ｂに嵌ることが出来る。
【００２４】
（ｃ）は（ａ）の場合と同じであるが、ガイド溝９をツル２の下面側に設けている。そして、デバイスの上側に嵌入ガイド１０を形成している。
このように、ツル２にガイド溝９を設けると共に、デバイス３には嵌入ガイド１０を設け、この嵌入ガイド１０をガイド溝９に嵌めることでデバイス３をツル２に簡単に取付け出来る。また、ガイド溝９の断面形状及び嵌入ガイド１０の断面形状は上記図４に示す場合に限定するものではない。
【００２５】
そして、図１に示すメガネフレームにはデバイス３を片側に取付けているが、両側に取付ける場合もあり、この際の取付け方法は前記実施例で説明した場合と同じである。
一方、ツル２からデバイス３を取り外してメガネフレームを矯正用メガネ又はサングラスとして使用する場合、さらに矯正用レンズやサングラスを嵌めないフレームとして使用する場合には、ツル２に形成したガイド溝９がメガネフレームの外観を損なう虞がある。そこで、ガイド溝９には嵌入ガイド１０に相当する嵌入片を嵌めてガイド溝９を埋めることも時には必要となる。この際の嵌入片はメガネフレームのツル２を装飾することが出来るデザインとしてガイド溝９に嵌めるならば、メガネフレームの装飾性は向上する。
【００２６】
図５、図６はフロント部１の両側端に取付けたヨロイ８にデバイス２８を取付ける場合を示す実施例であり、（ａ）はデバイス２８を取付ける前の状態、（ｂ）はデバイス２８を取付けた状態で、図５は平面図、図６は側面図をそれぞれ示している。
ヨロイ８へのデバイス２８の取付け方法は前記実施例で説明したツル２への取付け構造と同じであり、該ヨロイ８に設けたガイド溝１２にデバイス２８の嵌入ガイド１３が嵌って取付けられる。
ここで、同図に示すデバイス２８は前記図１、図２に示したデバイス３とはその形状を異にし、ディスプレー部分のないデバイス２８としている、本発明ではデバイス２８の機能並びにその形状は限定しない。
【００２７】
ヨロイ８はフロント部１のワタリ７の両先端に取付けられ、継手４，４を介して折畳み出来るように連結したツル２，２が開いた際に、ツル２，２の木口１１，１１はヨロイ８，８の木口１４，１４に当たって開きが規制される。すなわち、該ヨロイ８，８はツル２，２が開いた際のストッパーとして機能する。
ところで、ヨロイ８には該木口１４からガイド溝１２が形成され、デバイス２８に設けた嵌入ガイド１３が木口１４から挿入される。
【００２８】
嵌入ガイド１３の長さはガイド溝１２の長さと等しく、その為にガイド溝１２に嵌った嵌入ガイド１３の後方端はヨロイ８の木口１４に位置し、ツル２が開いて木口１１がヨロイ８の木口１４に当接するならば、デバイス２８はガタ付くことなく安定して取付けられる。デバイス２８をヨロイ８から取外す場合には、ツル２を折畳むことで嵌入ガイド１３をガイド溝１２から抜取ることが出来る。
【００２９】
図７、図８はツル２の中間部と先端にデバイス１５とデバイス１６を取付けた場合を示す実施例で、平面図と側面図をそれぞれ表している。該ツル２はフロント部１のワタリ先端に継手４を介して折畳み出来るように取付けられているが、同図に示すメガネフレームのツル２は中間部に設けた継手１７を介して２つ折りされ、また先端に設けた継手１８を介してツル先１９が折り曲げ出来るように成っている。
【００３０】
すなわち、ツル２は前ツル部２０と後ツル部２１及びツル先１９で構成され、後ツル部２１はツル下側に設けた継手１７を介して下方へ屈曲することが出来る。そして、ツル先１９はツル上側に設けた継手１８を介して上方へ屈曲することが出来る。したがって、メガネを顔に掛ける際には、後ツル部２１は耳に係止する為に下方へ屈曲することはない。
【００３１】
上記前ツル部２０の先端木口２２からガイド溝２３を表面側に形成し、デバイス１５には内側に嵌入ガイド２４を設けている。そこで、嵌入ガイド２４を図８（ｂ）に示すように後ツル部２１が下方へ屈曲している状態で、開口した木口２２から挿入して嵌めることが出来る。同じく、後ツル部２１の先端にも木口２５からガイド溝２６が表面側に形成され、デバイス１６の内側には嵌入ガイド２７を設けている。そこで、嵌入ガイド２７はツル先１９が上方へ屈曲して木口２５を開いた状態で、該木口２５からガイド溝２６に嵌入ガイド２７を挿入して嵌めることが出来る。
【００３２】
ツル２の中間部と先端に取付けられるデバイス１５，１６は、図７に示すようにツル２の外側に配置され、メガネを掛けた状態では後ツル部２１が下方へ屈曲したり、ツル先１９が上方へ屈曲することはなく、該デバイス１５，１６がツル２から外れるといった事態は起きない。すなわち、デバイス１５，１６を取外す場合には、メガネを外して図８（ｂ）に示すように後ツル部２１及びツル先１９を屈曲して木口２２，２５を開く必要がある。
上記図７、図８に示す実施例では、前ツル部２０にガイド溝２３を形成しているが、木口２２と対向する木口から後ツル部２１にガイド溝を設けることも可能である。したがって、後ツル部２１に設けたガイド溝に嵌入ガイドを嵌めてデバイス１５を取付け出来る。
【００３３】
ところで、本発明のメガネフレームは、フロント部１のヨロイ８又はフロント側ツルにデバイス３を、ツルの中間部にデバイス１５を、さらにツル先端にデバイス１６を取付けることが出来る。
これらデバイス１５，１６の機能に関しても特に限定することはなく、これらデバイス１５，１６が取付けられる位置はフロント部側でないことから、その機能はデバイス３、２８とは多少異なるが、例えばセンサー、ライト、カメラとして機能することは可能である。またツル先端のデバイス１６に関しては、上記の機能の他にバッテリーとしての機能を持たせることが出来、該デバイス３、２８を動作する為のエネルギーを供給することが出来る。
【符号の説明】
【００３４】
１   フロント部
２   ツル
３   デバイス
４   継手
５   リム部
６   連結部
７   ワタリ
８   ヨロイ
９   ガイド溝
10   嵌入ガイド
11   木口
12   ガイド溝
13   嵌入ガイド
14   木口
15   デバイス
16   デバイス
17   継手
18   継手
19   ツル先
20   前ツル
21   後ツル
22   木口
23   ガイド溝
24   嵌入ガイド
25   木口
26   ガイド溝
27   嵌入ガイド
28   デバイス
【図１】
0006792854.tif 000002
【図２】
0006792854.tif 000003
【図３】
0006792854.tif 000004
【図４】
0006792854.tif 000005
【図５】
0006792854.tif 000006
【図６】
0006792854.tif 000007
【図７】
0006792854.tif 000008
【図８】
0006792854.tif 000009
【図９】
0006792854.tif 000010